(57)【要約】【課題】任意の形状の照明面であっても、少ない個数の光源を用いて、該照明面を均一に照明することが可能な面発光照明器具を提供する。【解決手段】複数のＬＥＤ２１それぞれからの放射光を背面に受け、平行光に変換して前面から照明光として出力するフレネルレンズ形成樹脂板１０は、複数のフレネルレンズ１１を備え、複数のＬＥＤ２１それぞれは、複数のフレネルレンズ１１のいずれか１つに対応付けて配置され、かつ、フレネルレンズ１１それぞれには、対応付けられたＬＥＤ２１からの放射光が最も多く入射される位置に配置される。ここで、複数のフレネルレンズ１１の配置位置として、あらかじめ定めた任意の形状の照明面を均一に照明する位置に配置する。また、複数のフレネルレンズ１１には、鋸状の断面を形成する溝が平行直線形状であるリニアフレネルレンズを少なくとも１つ以上含んでいても良い。【選択図】        図１
2011060575.tif 000002
【特許請求の範囲】
【請求項１】
複数の光源と、複数の該光源それぞれの出力光である放射光を背面に受け、該放射光を略平行な平行光にそれぞれ変換し、変換した該平行光を前面から照明光として出力するフレネルレンズ形成樹脂板とを少なくとも含む面発光照明器具において、前記フレネルレンズ形成樹脂板が、複数のフレネルレンズを有し、複数の前記光源それぞれは、複数の前記フレネルレンズのうちのいずれかにそれぞれ対応付けて配置され、かつ、該フレネルレンズそれぞれは対応付けられた前記光源から出力される放射光が最も多く入射される位置に配置されていることを特徴とする面発光照明器具。
【請求項２】
前記フレネルレンズ形成樹脂板に備えられる複数の前記フレネルレンズは、あらかじめ定めた任意の形状の照明面を均一に照明することができる位置に形成してあることを特徴とする請求項１に記載の面発光照明器具。
【請求項３】
前記照明面の形状は、対称形状のみならず、非対称系形状も含むことを特徴とする請求項２に記載の面発光照明器具。
【請求項４】
前記照明面に前記照明光によって表象されるアニメーション画として、キャラクタ、動物、花、自然物のうちの１つまたは複数を用いることを特徴とする請求項１ないし３のいずれかに記載の面発光照明器具。
【請求項５】
前記フレネルレンズ形成樹脂板に備えられる複数の前記フレネルレンズとして、鋸状の断面を形成する溝が平行直線形状であるリニアフレネルレンズを少なくとも１つ含んでいることを特徴とする請求項１ないし４のいずれかに記載の面発光照明器具。
【請求項６】
前記フレネルレンズ形成樹脂板に備えられる複数の前記フレネルレンズのうち、互いに隣接する前記フレネルレンズ同士が重なり合う重畳領域が存在する場合、互いが重なり合う前記重畳領域において、片方の該フレネルレンズは、該重畳領域だけレンズ機能が欠けた不完全同心円形状を成して形成されることを特徴とする請求項１ないし５のいずれかに記載の面発光照明器具。
【請求項７】
前記光源は、ＬＥＤ（Light  Emission  Diode：発光ダイオード）または半導体レーザ素子であることを特徴とする請求項１ないし６のいずれかに記載の面発光照明器具。
【請求項８】
パチンコ、スロットマシンに代表される遊技機の前面の遊技盤上に設けられ、遊戯の状況に応じて、前記光源を点滅させることを特徴とする請求項１ないし７のいずれかに記載の面発光照明器具。
【請求項９】
１つのフレネルレンズに対して、複数のＬＥＤを対応付けて配置してなる請求項１ないし８のいずれかに記載の面発光照明器具。
【請求項１０】
前記ＬＥＤは平面上に配設された３つ又は３つ以上の複数個でなり、それら複数個のＬＥＤを第１乃至第３の点灯グループに区分し、第１及び第３の点灯グループを第２の点灯グループを中心にほぼ対称に配設し、第２の点灯グループのＬＥＤの内の１つを全ＬＥＤの中心に配置し、その中心に配設した該１つのＬＥＤを中心ＬＥＤと称するとき、該中心ＬＥＤから等距離に他のＬＥＤを配置し、第１及び第３の点灯グループを該中心ＬＥＤに関しほぼ対称に配設し、該中心ＬＥＤの位置を前記フレネルレンズの焦点位置とし、第１乃至第３の点灯グループを循環的に順次に点滅させる請求項１ないし９のいずれかに記載の面発光照明器具。
【請求項１１】
交通信号機、道路標識、看板、サインボード等における照明具として適用される請求項１ないし１０のいずれかに記載の面発光照明器具。
【請求項１２】
交通機関用の信号機の表示部に設けられ、交通状況および／または時間経過に応じて、前記光源を点滅させることを特徴とする請求項１ないし１０のいずれかに記載の面発光照明器具。
【請求項１３】
請求項１ないし１２のいずれかに記載の面発光照明器具を製造する面発光照明器具製造方法であって、前記フレネルレンズ形成樹脂板を製造する工程として、１枚の光学用アクリル板をレンズカットが入ったプレス用の金型を用いてプレス成形することにより、複数の前記フレネルレンズを前記光学用アクリル板上に１回のプレス加工工程で一気に形成することを特徴とする面発光照明器具製造方法。
【発明の詳細な説明】
【技術分野】
【０００１】
本発明は、面発光照明器具および面発光照明器具製造方法に関し、特に、発光ダイオード（ＬＥＤ：Light  Emission  Diode）または半導体レーザ素子を光源とする面発光照明器具であって、パチンコ、スロットマシンその他の遊技機や交通機関用の信号機のごとく、奥行き寸法が短い装置に好適に配備することができる面発光照明器具および該面発光照明器具を製造する製造方法に関する。
【背景技術】
【０００２】
パチンコ、スロットマシンその他の遊技機では、照明光によって形成されるアニメーション面のキャラクタ等の形や絵を表象するＬＥＤ装飾ユニットが、各遊技機の前面（遊技者に対向する面）の遊技盤上の複数個所に設けられている。該ＬＥＤ装飾ユニットは、ＬＥＤ（ＬＥＤ：Light  Emission  Diode、発光ダイオード）を光源とする面発光照明器具である。該ＬＥＤ装飾ユニットに求められる奥行き寸法は、５〜１５ｍｍ程度であり、蛍光灯などを光源とする一般的な面発光照明器具に比べて非常に短い。また、該ＬＥＤ装飾ユニットの照明面は、アニメーション面のキャラクタ、動物、花、自然物のうちの１つまたは複数の形や絵を表象することが多い。したがって、これらの形や絵からなる像を表象するＬＥＤ装飾ユニットの照明面の形状は、一般に、円形、楕円形、矩形、正六角形といった整った形状ではなく、非対称形状いわゆる異形状(不整形状)である。
【０００３】
従来の面発光照明器具のＬＥＤ装飾ユニットにおいては、表象する像に対応して多数のＬＥＤを配列した構成としている。表象する像に対応して多数のＬＥＤを配列する方式の面発光照明器具は、任意の形の像を表象することが容易である。すなわち、照明器具の形を任意に設計することができるという利点を有している。
【０００４】
しかし、表象する像に対応して多数のＬＥＤを配列する方式の面発光照明器具の場合、所要ＬＥＤの個数が非常に多く、製造費が高価になるという欠点があった。
【０００５】
このような多数のＬＥＤを用いる方式の面発光照明器具の欠点を解決するために、特許文献１の特表２００３−５３２９６０号公報「交通信号用の信号機」に記載のような照明方式が提案されている。該特許文献１に記載の照明方式では、点光源であるＬＥＤから放射される光を１つのフレネルレンズによって平行光に変換して面発光させることにより、所要ＬＥＤの個数を低減することを可能とし、より安価な面発光照明器具を実現しようとしている。
【先行技術文献】
【特許文献】
【０００６】
【特許文献１】特表２００３−５３２９６０号公報（第３−５頁）
【発明の概要】
【発明が解決しようとする課題】
【０００７】
前記特許文献１記載の照明方式では、１つの光源（ＬＥＤ）からの光を平行光に変換するフレネルレンズが１つであることから、面発光領域は円形状であり、交通信号機のような円形の照明面を有する面発光照明器具という用途に対しては適用することができる。しかしながら、パチンコやスロットマシン等の遊技機におけるＬＥＤ装飾ユニットのごとく、あるいは、さらに高度な信号を表示しようとする交通信号機のごとく、照明面が非対称形状や異形状(不整形状)になった場合には、前記特許文献１記載の照明方式のような方式では、光源のＬＥＤに近い領域では明るいものの、光源のＬＥＤから遠い領域では暗くなってしまうので、照明面における明るさの分布が不均一となってしまう。かくのごとく、前記特許文献１記載の照明方式の場合、任意の形状の照明面つまり異形(不整形)の照明面を照明しようとしても、該照明面における明るさが不均一となるという解決すべき課題があった。
【０００８】
（本発明の目的）
そこで、本発明の目的は、前述の課題を解決し、任意の形状の照明面であってもつまり照明面が異形であっても、少ない個数の光源を用いて、該照明面の明るさを均一にすることが可能で、かつ、安価な面発光照明器具および面発光照明器具製造方法を提供することにある。
【課題を解決するための手段】
【０００９】
前述の課題を解決するため、本発明による面発光照明器具および面発光照明器具製造方法は、次のような特徴的な構成を採用している。
【００１０】
（１）複数の光源と、複数の該光源それぞれの出力光である放射光を背面に受け、該放射光を略平行な平行光にそれぞれ変換し、変換した該平行光を前面から照明光として出力するフレネルレンズ形成樹脂板とを少なくとも含む面発光照明器具において、前記フレネルレンズ形成樹脂板が、複数のフレネルレンズを有し、複数の前記光源それぞれは、複数の前記フレネルレンズのうちのいずれかにそれぞれ対応付けて配置され、かつ、該フレネルレンズそれぞれは対応付けられた前記光源から出力される放射光が最も多く入射される位置に配置されている面発光照明器具。
【発明の効果】
【００１１】
本発明の面発光照明器具および面発光照明器具製造方法によれば、以下のような効果を奏することができる。
【００１２】
あらかじめ定めた位置それぞれに複数のフレネルレンズを配置したフレネルレンズ形成樹脂板と、各フレネルレンズそれぞれに放射光を最も多く入射することができる位置にそれぞれ対応付けて配置した複数の光源とを備える構成としているので、複数のフレネルレンズそれぞれを配置する位置を所望する任意の形状の照明面を均一に照明することができる位置に配置することにより、より少ない個数の光源を用いて、対称形状のみならず非対称形状や異形状も含め、所望の形状の照明面を均一の明るさで照明することができる。
【００１３】
また、フレネルレンズ形成樹脂板として、１枚の光学用アクリル板をレンズカットが入ったプレス用の金型を用いてプレス成形することにより、複数のフレネルレンズを１回のプレス加工工程で一気に形成することができるので、光源として多数のＬＥＤを要する従来の面発光照明器具よりも、製造コストを大幅に低減することができる。
【図面の簡単な説明】
【００１４】
【図１】本発明に係る面発光照明器具の構成の一例を示す構成図である。
【図２】図１のフレネルレンズ形成樹脂板上のフレネルレンズの溝の形成状態の一例を示す説明図である。
【図３】図１のフレネルレンズ形成樹脂板上のフレネルレンズの少なくとも１つ以上を形成するリニアフレネルレンズの構成を示す斜視図である。
【図４】１つのフレネルレンズ１１に対して、複数のＬＥＤを対応付けて配置するようにした面発光照明器具の実施形態を示す模式図である。
【発明を実施するための形態】
【００１５】
以下、本発明による面発光照明器具および面発光照明器具製造方法の好適な実施例について添付図を参照して説明する。
【００１６】
（本発明の特徴）
本発明の実施形態の説明に先立って、本発明の特徴についてその概要をまず説明する。本発明は、複数の光源例えばＬＥＤ（Light  Emission  Diode：発光ダイオード）と、複数のＬＥＤそれぞれの出力光である放射光を背面に受け、該放射光を略平行な平行光にそれぞれ変換し、変換した該平行光を前面から照明光として出力するフレネルレンズ形成樹脂板とを少なくとも含む面発光照明器具に関するものであり、前記フレネルレンズ形成樹脂板が、複数のフレネルレンズを有し、複数のＬＥＤそれぞれは、複数のフレネルレンズのうちのいずれかにそれぞれ対応付けて配置され、かつ、対応付けられた該フレネルレンズそれぞれにＬＥＤから出力される放射光が最も多く入射される位置に配置されていることを主要な特徴としている。なお、光源は、ＬＥＤに限るものではなく、半導体レーザ素子等も含め、任意の光源であっても構わない。
【００１７】
ここで、前記フレネルレンズ形成樹脂板に備えられる複数のフレネルレンズの形成位置は、対称形状のみならず、非対称形状や異形状も含め、あらかじめ定めた任意の形状の照明面を均一に照明することができる位置に配置することとする。
【００１８】
また、前記フレネルレンズ形成樹脂板が有している複数のフレネルレンズとして、鋸状の断面を形成する溝が平行直線形状のリニアフレネルレンズを少なくとも１つ以上含んでいるように構成しても良い。
【００１９】
さらに、前記フレネルレンズ形成樹脂板が有している複数のフレネルレンズのうち、互いに隣接するフレネルレンズ同士が重なり合う重畳領域が存在する場合、互いに重なり合う該重畳領域において、片方の該フレネルレンズは、完全同心円形状ではなく、該重畳領域だけレンズ機能が欠けた不完全同心円形状を成して形成されることが望ましい。
【００２０】
なお、本発明における照明面の形状は、前述のごとく、円形、楕円形、矩形、正六角形のごとく整った形状に限るものではなく、任意の形状つまり異形も含むことを特徴としている。
【００２１】
例えば、照明面の形状として、照明光によって表象されるアニメーション画のキャラクタ、動物、花、自然物のオブジェクトのうち、１ないし複数のオブジェクトを表象するような形状であっても良い。
【００２２】
また、本発明に係る面発光照明器具を、パチンコ、スロットマシンその他の遊技機や交通機関用の信号機等に好適に適用することができ、例えば、遊技機の前面の遊技盤上に配置し、遊戯の状況に応じて、ＬＥＤを点滅させるようにしても良いし、交差点等の交通機関用の信号機として、ＬＥＤを点滅させるようにしても良い。
【００２３】
（本発明の構成例）
次に、本発明に係る面発光照明器具の構成例について、図１を用いて説明する。図１は、本発明に係る面発光照明器具の構成の一例を示す構成図であり、図１（Ａ）は、面発光照明器具を上から見下ろした場合の断面図を示し、図１（Ｂ）は、面発光照明器具を側面から眺めた場合の断面図を示している。図１に示す面発光照明器具は、複数のフレネルレンズ１１を形成するためのフレネルレンズ形成樹脂板１０、光源となる複数のＬＥＤ（Light  Emission  Diode）２１を形成するためのプリント基板２０を少なくとも含んで構成されている。
【００２４】
ここで、フレネルレンズ形成樹脂板１０上に形成されるフレネルレンズ１１の配置位置は、図１（Ａ）に示すように、面発光源として、所望の任意の形状からなる照明面３０を均一な明るさで照明することができる位置としてあらかじめ定めた位置とされており、円形等の対称な形状の照明面のみならず、非対称形状の照明面であっても、当該照明面を均一に照明することができるように、複数のフレネルレンズ１１の配置位置を適切に決定している。
【００２５】
また、図１（Ｂ）に示すように、プリント基板２０は、フレネルレンズ形成樹脂板１０からフレネルレンズ１１の焦点距離Ｆだけ離間した位置に配置され、かつ、プリント基板２０上に形成されるＬＥＤ２１は、それぞれに対応するフレネルレンズ１１に最も多くの光量の放射光が入射されるように、各ＬＥＤ２１と対応するフレネルレンズ１１との互いの中心位置が一致するような位置に配置される。これにより、各ＬＥＤ２１から放射された光の殆どは、対応するフレネルレンズ１１それぞれに背面から入射され、フレネルレンズ１１それぞれの前面から平行光として出射されることによって、面発光源として、任意の形状の照明面３０を均一に照明することになる。
【００２６】
つまり、１枚の透明な光学用のアクリル板からなるフレネルレンズ形成樹脂板１０上に、あらかじめ定めた任意の位置に複数のフレネルレンズ１１を形成することにより、対応する光源のＬＥＤ２１からの光を、面発光させて、所望の形状の照明面３０を均一に照明することができる。
【００２７】
ここで、フレネルレンズ形成樹脂板１０上に隣接して形成する２つのフレネルレンズ１１，１１の鋸状の断面を形成する溝１１ａ，１１ｂ同士が互いに重畳するような位置関係になる場合、図２に示すように、いずれか一方のフレネルレンズ１１は、同心円形状に溝１１ａを形成するが、他方のフレネルレンズ１１については、前記一方のフレネルレンズ１１の溝１１ａと重畳する重畳領域１２におけるレンズ機能を欠いた不完全同心円形状に溝１１ｂを形成することとする。図２は、図１のフレネルレンズ形成樹脂板１０上のフレネルレンズ１１の溝の形成状態の一例を示す説明図であり、隣接するフレネルレンズ１１の溝１１ａ，１１ｂが重畳する位置関係にある場合、他方のフレネルレンズ１１については重畳領域１２ではレンズ機能を欠いた不完全同心円形状の溝１１ｂとして形成する例を説明している。
【００２８】
なお、フレネルレンズ形成樹脂板１０上に形成する複数のフレネルレンズ１１のうち、少なくとも１つ以上が、図３に示すような略平面形状のシリンドリカルレンズ機能を有するリニアフレネルレンズを含んで構成するようにしても良い。図３は、図１のフレネルレンズ形成樹脂板１０上のフレネルレンズ１１の少なくとも１つ以上を形成するリニアフレネルレンズの構成を示す斜視図であり、リニアフレネルレンズ１１ｃの形状として、鋸状の断面を形成する溝が平行直線形状を成している状態を説明している。光源のＬＥＤ２１からの放射光をリニアフレネルレンズ１１ｃに入射すると、シリンドリカルレンズ機能により、リニアフレネルレンズ１１ｃからは縦方向または横方向のいずれか一方にのみ拡散した平行光として出射することができる。これにより、フレネルレンズ形成樹脂板１０の各フレネルレンズ１１から出射される照明光の形状にアクセントをつけることができ、任意の形状の照明面を均一に照明する面光源を得ることが、より容易に可能になる。
【００２９】
以上のように、図１ないし図３に示すような面発光照明器具によれば、限られた筐体内に実装する場合であっても、光源となるＬＥＤ２１の使用数を低減することが可能であり、かつ、ＬＥＤ２１の光特性である点光源を、フレネルレンズ１１および／またはリニアフレネルレンズ１１ｃによって面光源および／または線光源に変換して、任意の形状の照明面を均一の明るさで照明することができ、目立たせようとするターゲットを、広範囲に亘って輝度を落とすことなく照明することができる。
【００３０】
（本発明の面発光照明器具の適用例）
以上のような構成からなる面発光照明器具においては、より少ない個数の光源を用いて、任意の形状の照明面を均一の明るさで照明することができるので、パチンコやスロットマシンその他の遊技機の前面の遊技盤上に配置して、遊技の状況に応じて、光源である例えばＬＥＤ２１の１ないし複数を適宜点滅させることにより、装飾ユニットとして、任意の形状のアニメーション画を表象することができ、臨場感に富む視覚効果を与えることができる。
【００３１】
ここで、パチンコやスロットマシン等の場合、ターゲットとなるＬＥＤ装飾ユニットの奥行きは１０〜３０ｍｍであり、光源からターゲットの表面樹脂板までの距離は５〜１５ｍｍの間の場合が多い。一方、本実施形態の面発光照明器具におけるフレネルレンズ１１、リニアフレネルレンズ１１ｃの焦点距離Ｆは、２〜１００ｍｍの間で自在に設計することができるので、例えば、焦点距離２〜７ｍｍ程度の短焦点距離のフレネルレンズ１１、リニアフレネルレンズ１１ｃを用いることにすれば、前述のごとき狭い限られたスペースであっても、ＬＥＤ２１の点光源を面光源や線光源に変換して、１つのフレネルレンズ１１、リニアフレネルレンズ１１ｃによってより広範囲に亘ってムラなく照明することができる。この結果、全体のＬＥＤ２１の個数を低減することができ、狭いスペースであっても、効果的なＬＥＤ装飾ユニットを実現することができる。
【００３２】
ここで、遊技機の照明面に表象されるアニメーション画として、キャラクタ、動物、花、自然物等のオブジェクトのうち、いずれか１ないし複数のオブジェクトを単独または組み合わせて用いるようにしても良い。
【００３３】
さらには、前述のような面発光照明器具においては、交通状況および／または時間経過に応じて、光源である例えばＬＥＤ２１の１ないし複数を適宜点滅させて、各種の照明面の形状や点滅状態を表象するようにすることも可能であり、陸上や水上の交通機関用の信号機の表示部として用いることも、あるいは、交通機関そのものの信号装置や警報装置として搭載することも可能である。
【００３４】
（本発明の面発光照明器具の製造方法）
次に、図１に示すような面発光照明器具のフレネルレンズ形成樹脂板１０を製造する製造方法について説明する。本製造方法においては、厚さ０．５〜４．０ｍｍ程度の１枚の透明な光学用アクリル板をレンズカットが入ったプレス用の金型を用いてプレス成形することにより、光学ムラを生じないようにして、複数のフレネルレンズを一気に形成して、フレネルレンズ形成樹脂板１０を製造する。
【００３５】
つまり、あらかじめ加温した状態にあるプレス用の金型により、光学用アクリル板が軟化点（１００〜２００℃）に加温されるまで、２〜４分かけて、徐々に加熱しながら均一の圧力で押圧することにより、光学用アクリル板を熱によって変形させ、フレネルレンズ形成樹脂板１０として、フレネルレンズ状のレンズカットまたはリニアフレネルレンズ状のレンズカットが付いたアクリル板に仕上げる。
【００３６】
かくのごとき製法により、光学用アクリル板にクラックが入ることもなく、かつ、光学ムラを生じることもなく、多数のフレネルレンズ１１および／またはリニアフレネルレンズ１１ｃを有するフレネルレンズ形成樹脂板１０を１回のプレス加工工程で一気に製造することができる。
【００３７】
なお、図１〜図３に前述した面発光照明器具においては、１つのフレネルレンズ１１に１つのＬＥＤ２１を対応付けている場合を例示したが、本発明は、かかる場合に限るものではない。例えば、１つのフレネルレンズ１１に対して、複数のＬＥＤ２１を対応付けて配置するようにしても良い。かくのごとく、複数のＬＥＤ２１を配置する場合には、焦点距離Ｆのフレネルレンズ１１を形成したフレネルレンズ形成樹脂板１０から距離Ｆだけ離れて配置したプリント基板２０上において、フレネルレンズ１１の中心からの延長上の位置および該位置から任意の距離だけ上下および／または左右等の方向にずれた位置にＬＥＤ２１をそれぞれ配置し、各ＬＥＤ２１を例えば１秒〜３秒の間隔で点滅させる点灯ランニングを行わせることによって、平面にて擬似的な回転灯（所謂パトライト）を実現するようにしても良いし、さらには、点灯するＬＥＤ２１の順番を適宜変更することにより、各種の点灯回転パターンを演出するようにすることも可能である。
【００３８】
図４は、１つのフレネルレンズ１１に対して、複数のＬＥＤを対応付けて配置するようにした面発光照明器具の実施形態を示す模式図である。図４（Ａ）はその面発光照明器具の正面図、図４（Ｂ）はその面発光照明器具の平面図、図４（Ｃ）はその面発光照明器具におけるフレネルレンズの平面図である。図４（Ａ）は図４（Ｂ）のＡ−Ａ矢視断面図である。図４において、１１はフレネルレンズ、２０はプリント基板、ａ，ｂ１，ｂ２，ｂ３及びｃは、ＬＥＤである。ＬＥＤａ，ｂ２，ｂ３及びｃは、プリント基板２０上にＬＥＤｂ１から等距離の位置に配設してある。ＬＥＤｂ１は、フレネルレンズ１１の光軸上に配設してある。フレネルレンズ１１の中心とＬＥＤｂ１の発光点との距離は、フレネルレンズ１１の焦点距離Ｆである。
【００３９】
ＬＥＤａ，ｂ１，ｂ２，ｂ３及びｃを、３つの点灯グループに分け、第１の点灯グループをＬＥＤａで構成し、第２の点灯グループをＬＥＤｂ１，ｂ２及びｂ３で構成し、第３の点灯グループをＬＥＤｃで構成する。そして、第１の点灯グループ、第２の点灯グループ及び第３の点灯グループを１秒〜３秒の周期で順に点灯させる。例えば、１周期を１秒とすると、最初の１／３秒間はＬＥＤａだけを点灯し、その間残りのＬＥＤｂ１，ｂ２，ｂ３及びｃは消灯しておき、次の１／３秒間はＬＥＤｂ１，ｂ２及びｂ３を点灯し、その間残りのＬＥＤａ及びｃは消灯しておき、次の１／３秒間はＬＥＤｃだけを点灯し、その間残りのＬＥＤａ，ｂ１，ｂ２及びｂ３は消灯しておき、以降最初のＬＥＤａだけを点灯し、その間残りのＬＥＤｂ１，ｂ２，ｂ３及びｃは消灯しておくというように、第１から第３の点灯グループの点滅を連続的に周回する。
【００４０】
いま、フレネルレンズ１１の中心とＬＥＤａ，ｂ２，ｂ３及びｃの発光点との各距離をそれぞれＦａ，Ｆｂ２，Ｆｂ３及びＦｃとすると、Ｆａ＝Ｆｂ２＝Ｆｂ３＝Ｆｃである。フレネルレンズ１１の中心とＬＥＤｂ１の発光点との距離は、フレネルレンズ１１の焦点距離Ｆであるので、距離Ｆａ，Ｆｂ２，Ｆｂ３及びＦｃは、何れもフレネルレンズ１１の焦点距離Ｆより僅かに大きい。このように、ＬＥＤａ，ｂ２，ｂ３及びｃの位置がフレネルレンズ１１の焦点距離Ｆより僅かに大きいと、ＬＥＤａ，ｂ２，ｂ３及びｃの発光は、フレネルレンズ１１の光軸（ＬＥＤｂ１の発光点とフレネルレンズ１１の中心とを結ぶ線）となす角度を小さくする方向に、フレネルレンズ１１のレンズ作用により曲げられる。すなわち、フレネルレンズ１１は、ＬＥＤａ，ｂ２，ｂ３及びｃの発光をフレネルレンズ１１の光軸に収束する。
【００４１】
上述のように、フレネルレンズ１１の光軸上であって、フレネルレンズ１１の焦点にＬＥＤｂ１を配設するとともに、プリント基板２０の片側の平面上にＬＥＤｂ１から等距離の位置にＬＥＤａ，ｂ２，ｂ３及びｃを配設し、かつ、ＬＥＤａ，ｂ１，ｂ２，ｂ３及びｃを、第１から第３の３つの点灯グループに分け、各点灯グループを順に点灯することにより、所謂パトライトを擬似的に構成することができる。本発明の一実施形態である図４の面発光照明器具は、パトロールカーの屋根上等に設置されて、回転ミラーで光ビームを回転させることにより実現しているパトライトとほぼ同等な光源を、可動部（前記の例では、回転ミラー）を要しない静的な手段で実現している。
【００４２】
図４を参照して行った前記擬似パトライトの説明では、第２の点灯グループをＬＥＤｂ１，ｂ２及びｂ３で構成し、ＬＥＤｂ１，ｂ２及びｂ３を同期して点滅する例を挙げた。しかしながら、第２の点灯グループは、ＬＥＤｂ１，ｂ２及びｂ３に代えて、ＬＥＤｂ２だけで構成しても、擬似パトライトは実現できる。尤も、第２の点灯グループを構成するＬＥＤは、ＬＥＤｂ１，ｂ２及びｂ３という３つとした方が、ＬＥＤｂ１だけのものより、一層パトライトに近似した印象を与えることができる。
【００４３】
なお、図４の面発光照明器具において、ＬＥＤａ，ｂ２，ｃ及びｂ３の順に点滅させ、この点滅を同じ順に循環させるとにより、回転する放射状光を得ることができる。ここで、ＬＥＤａ，ｂ２，ｃ及びｂ３の順に点滅させるとは、ＬＥＤａを点灯させている時はＬＥＤｂ２，ｃ及びｂ３は消灯しておき、ＬＥＤｂ２を点灯させている時はＬＥＤａ，ｃ及びｂ３は消灯しておき、ＬＥＤｃを点灯させている時はＬＥＤａ，ｂ２，及びｂ３は消灯しておき、ＬＥＤｂ３を点灯させている時はＬＥＤａ，ｂ２，及びｃは消灯してように、ＬＥＤの点滅を制御することである。
【００４４】
また、図１〜図３に前述した面発光照明器具においては、透明なフレネルレンズ形成樹脂板１０にフレネルレンズ１１および／またはリニアフレネルレンズ１１ｃを形成して、フレネルレンズ形成樹脂板１０を透過して背面から入射した放射光を前面から平行光に変換して出力する場合について説明したが、場合によっては、フレネルレンズ形成樹脂板１０には、フレネルレンズ１１および／またはリニアフレネルレンズ１１ｃにミラーを蒸着して、入射光を平行光に変換して反射して出射するミラーフレネルレンズとして形成することによって、バックライトあるいはリフレクタとして利用するようにしても良い。
【００４５】
以上には、本発明の面発光照明器具を遊技機に適用する例を主に挙げて説明したが、本発明の面発光照明器具は遊技機だけではなく、交通信号機、道路標識、看板、サインボード等における照明具として適用できることは特に説明するまでもない。特に、図４を参照して説明した擬似パトライトや放射状光を回転させる形態の面発光照明器具は、小型で軽量であり、低消費電力であり、また可動部のないことによる低故障率が得られるだけでなく、更にパトライト同様に人の注意を強く惹きつけるので、交通信号機、道路標識、看板、サインボード等における照明具として有用である。
【００４６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記フレネルレンズ形成樹脂板に備えられる複数の前記フレネルレンズは、あらかじめ定めた任意の形状の照明面を均一に照明することができる位置に形成してある上記（１）の面発光照明器具。
（３）前記照明面の形状は、対称形状のみならず、非対称系形状も含む上記（２）の面発光照明器具。
（４）前記照明面に前記照明光によって表象されるアニメーション画として、キャラクタ、動物、花、自然物のうちの１つまたは複数を用いる上記（１）ないし（３）のいずれかの面発光照明器具。
（５）前記フレネルレンズ形成樹脂板に備えられる複数の前記フレネルレンズとして、鋸状の断面を形成する溝が平行直線形状であるリニアフレネルレンズを少なくとも１つ含んでいる上記（１）ないし（４）のいずれかの面発光照明器具。
（６）前記フレネルレンズ形成樹脂板に備えられる複数の前記フレネルレンズのうち、互いに隣接する前記フレネルレンズ同士が重なり合う重畳領域が存在する場合、互いが重なり合う前記重畳領域において、片方の該フレネルレンズは、該重畳領域だけレンズ機能が欠けた不完全同心円形状を成して形成される上記（１）ないし（５）のいずれかの面発光照明器具。
（７）前記光源は、ＬＥＤ（Light  Emission  Diode：発光ダイオード）または半導体レーザ素子である上記（１）ないし（６）のいずれかの面発光照明器具。
（８）パチンコ、スロットマシンに代表される遊技機の前面の遊技盤上に設けられ、遊戯の状況に応じて、前記光源を点滅させる上記（１）ないし（７）のいずれかの面発光照明器具。
（９）１つのフレネルレンズに対して、複数のＬＥＤを対応付けて配置してなる上記（１）ないし（８）のいずれかの面発光照明器具。
（１０）前記ＬＥＤは平面上に配設された３つ又は３つ以上の複数個でなり、それら複数個のＬＥＤを第１乃至第３の点灯グループに区分し、第１及び第３の点灯グループを第２の点灯グループを中心にほぼ対称に配設し、第２の点灯グループのＬＥＤの内の１つを全ＬＥＤの中心に配置し、その中心に配設した該１つのＬＥＤを中心ＬＥＤと称するとき、該中心ＬＥＤから等距離に他のＬＥＤを配置し、第１及び第３の点灯グループを該中心ＬＥＤに関しほぼ対称に配設し、該中心ＬＥＤの位置を前記フレネルレンズの焦点位置とし、第１乃至第３の点灯グループを循環的に順次に点滅させる上記（９）の面発光照明器具。
（１１）交通信号機、道路標識、看板、サインボード等における照明具として適用される上記（１）ないし（１０）のいずれかの面発光照明器具。
（１２）交通機関用の信号機の表示部に設けられ、交通状況および／または時間経過に応じて、前記光源を点滅させる上記（１）ないし（１０）のいずれかの面発光照明器具。
（１３）上記（１）ないし（１２）のいずれかの面発光照明器具を製造する面発光照明器具製造方法であって、前記フレネルレンズ形成樹脂板を製造する工程として、１枚の光学用アクリル板をレンズカットが入ったプレス用の金型を用いてプレス成形することにより、複数の前記フレネルレンズを前記光学用アクリル板上に１回のプレス加工工程で一気に形成する面発光照明器具製造方法。
【符号の説明】
【００４７】
１０      フレネルレンズ形成樹脂板
１１      フレネルレンズ
１１ａ    溝
１１ｂ    溝
１１ｃ    リニアフレネルレンズ
１２      重畳領域
２０      プリント基板
２１，ａ，ｂ１，ｂ２，ｂ３，ｃ      ＬＥＤ
３０      照明面
【図１】
2011060575.tif 000003
【図２】
2011060575.tif 000004
【図３】
2011060575.tif 000005
【図４】
2011060575.tif 000006